(57)【特許請求の範囲】
【請求項１】
細長に形成される本体と、
前記本体の正面側に配置され、光を照射する発光部と、
前記本体の正面及び前記発光部の正面側を覆うカバーと、
前記カバーの裏側で前記発光部に対向配置され、虫を捕捉する捕虫シートと、
前記本体の一側の側面に配置され、前記本体の正面側を覆うとともに側面の少なくとも一部を覆う閉鎖位置と、前記本体の正面側を外部に露出させる開放位置と、の間で前記カバーを回転可能に前記本体に取り付けるヒンジと、
前記本体の側面と前記閉鎖位置の前記カバーの端部の間で前記本体の背面側に開口している誘引口と、
を備え、
前記本体に複数の貫通孔が形成され、
前記カバーは、前記本体の長手方向で見たときに、円弧状に湾曲する板状部材によって形成され、
前記カバーが前記閉鎖位置にある状態で、前記発光部により照射された光が前記捕虫シート及び前記カバーの裏側で反射され、前記誘引口から虫を誘引する誘引光として外部に漏出するとともに、前記発光部により照射された光が前記貫通孔から虫を誘引する誘引光として外部に漏出する捕虫器。
【請求項２】
前記カバーの端部における長手方向の中央部分に切欠き部が形成される請求項１に記載の捕虫器。
【請求項３】
前記本体の他側の側面に配置され、前記カバーを前記閉鎖位置で固定するカバー固定用ネジ受けを更に備える請求項１又は２に記載の捕虫器。
【請求項４】
前記捕虫シートは、前記カバーに取り付けられた状態で、虫を捕捉する粘着領域が前記本体の正面側の幅方向の厚みよりも内側に収まるように形成される請求項１から３の何れかに記載の捕虫器。
【請求項５】
前記カバーの裏側に配置され、前記捕虫シートを前記カバーの長手方向の一側から挿入可能な１対のガイドレールを更に備え、
前記捕虫シートは、虫を捕捉する粘着領域及び該粘着領域の外側に形成される非粘着領域を有し、
前記非粘着領域の幅は、前記ガイドレールのガイド部分よりも広くなっている請求項１から４までの何れかに記載の捕虫器。
【請求項６】
前記本体の内側に形成される空間の中央に配置され、直管式の発光部を正面側に収容可能なソケットを更に備え、
前記本体における前記ソケットの両側には、前記本体の側面から背面にかけて複数の貫通孔が形成される請求項１から５までの何れかに記載の捕虫器。
【発明の詳細な説明】
【技術分野】
【０００１】
本発明は、発光部から照射される光を利用して虫を捕獲する捕虫器に関する。
【背景技術】
【０００２】
従来から、光により虫を誘引し、粘着性のある捕虫シートによって捕捉する捕虫器が知られている。この種の捕虫器を開示するものとして、例えば、特許文献１や特許文献２がある。特許文献１には、蛍光灯等により構成される発光部と、発光部の近傍に繰り出される捕虫シートと、この捕虫シートの繰り出しを許容し当該捕虫シートを保持する保持手段とを備えた捕虫器に関する技術が開示されている。また、特許文献２には、ＬＥＤを光源とする発光部に誘引された害虫を捕獲する捕虫シートを着脱自在に保持する捕虫器用シート保持具を備える捕虫器に関する技術が開示されている。
【先行技術文献】
【特許文献】
【０００３】
【特許文献１】特開２０１２−４５００４号公報
【特許文献２】特開２０１３−１６５６７９号公報
【発明の概要】
【発明が解決しようとする課題】
【０００４】
虫は発光部に集まるため、発光部の周囲を飛び回っている間は捕虫シートに捕捉されない。従って、虫を効率的に捕捉するためには、発光部の光に誘引された虫を捕虫シートにスムーズに導く必要がある。この点、特許文献１に開示される捕虫器では、本体フレームの内部に保持される蛍光灯により、捕虫シートを通じて外部に光を発することで、虫を捕虫シートまで誘引している。しかし、この構成では、捕虫シートが外側に大きく露出することになり、捕虫シートに捕捉された虫が丸見えの状態になってしまう。
【０００５】
特許文献２に開示される捕虫器では、奥側で捕捉された虫は外部から見え難くなっているものの、外部に露出する発光部の光に虫が誘引されるため、捕虫シートが配置される空間の奥側まで虫が侵入し難く、捕虫シート全域を活用することが難しかった。また、奥側は見え難くなっているものの、交換作業を容易にするために捕虫シートが入口側まで達しており、入口で捕虫シートにより捕捉された虫が外部から簡単に見えてしまっていた。加えて、発光部が露出する構成では、虫が発光部の周囲を飛び回ることがあり、捕虫シートまで虫をスムーズに誘導するという観点でも改善の余地があった。
【０００６】
このように、従来の捕虫器の構造では、虫を効率的に捕捉する捕捉性能の向上と、捕捉された虫を見えにくくするデザイン性の向上と、を両立することが難しかった。
【０００７】
本発明は、発光部の光によって誘引された虫を捕虫シートに効率的に捕捉できるとともに、捕虫シートに捕捉された虫が外部から見えにくい捕虫器を提供することを目的とする。
【課題を解決するための手段】
【０００８】
本発明は、細長に形成される本体と、前記本体の正面側に配置され、光を照射する発光部と、前記発光部よりも正面側に配置され、前記本体の正面側及び側面の少なくとも一部を覆うカバーと、前記カバーの裏側で前記発光部に対向配置され、虫を捕捉する捕虫シートと、前記本体の側面と前記カバーの端部の間に形成される誘引口と、を備え、前記発光部により照射された光が前記捕虫シート及び前記カバーの裏側で反射され、前記誘引口から虫を誘引する誘引光として外部に漏出する捕虫器に関する。
【０００９】
前記カバーは、前記本体の長手方向で見たときに、円弧状に湾曲する板状部材によって形成されることが好ましい。
【００１０】
前記捕虫シートは、前記カバーに取り付けられた状態で、虫を捕捉する粘着領域が前記本体の正面側の幅方向の厚みよりも内側に収まるように形成されることが好ましい。
【００１１】
前記捕虫器は、前記カバーの裏側に配置され、前記捕虫シートを前記カバーの長手方向の一側から挿入可能な１対のガイドレールを更に備え、前記捕虫シートは、虫を捕捉する粘着領域及び該粘着領域の外側に形成される非粘着領域を有し、前記非粘着領域の幅は、前記ガイドレールのガイド部分よりも広くなっていることが好ましい。
【００１２】
前記捕虫器は、前記本体の内側に形成される空間の中央に配置され、直管式の発光部を正面側に収容可能なソケットを更に備え、前記本体における前記ソケットの両側には、前記本体の側面から背面にかけて複数の貫通孔が形成されることが好ましい。
【発明の効果】
【００１３】
本発明によれば、発光部の光によって誘引された虫を捕虫シートに効率的に捕捉できるとともに、捕虫シートに捕捉された虫が外部から見えにくくなる捕虫器の構造を実現できる。
【図面の簡単な説明】
【００１４】
【図１】本発明の一実施形態に係る捕虫器を示す斜視図である。
【図２】壁の近くに配置された本実施形態の捕虫器の側面図である。
【図３】本実施形態の捕虫器の背面図である。
【図４】本実施形態の捕虫器の平面図である。
【図５】カバーが開放位置にあるときの捕虫器の正面図である。
【図６】カバーが開放位置にあるときの捕虫器の平面図である。
【図７】捕虫シートを交換する様子を示す捕虫器のカバー裏側の拡大正面図である。
【発明を実施するための形態】
【００１５】
以下、本発明の捕虫器の好ましい一実施形態について、図面を参照しながら説明する。図１は、本発明の一実施形態に係る捕虫器を示す斜視図である。なお、図面において両向きの矢印で示したＦは正面側を示し、Ｒは背面側を示す。
【００１６】
図１に示すように、捕虫器１は、蛍光灯５０が設けられる本体１０と、本体１０を支持するスタンド２０と、本体１０の正面側を覆うカバー３０と、を備える。
【００１７】
まず、本実施形態の捕虫器１が備える本体１０について説明する。図２は、壁１００の近くに配置された本実施形態の捕虫器１の側面図である。図３は、本実施形態の捕虫器１の背面図である。図４は、本実施形態の捕虫器１の平面図である。
【００１８】
図２及び図３に示すように、本体１０は、その外形が縦長の柱状に形成される。図４に示すように、本体１０は、端面の形状が略半円状のセミシリンドリカル形状に形成されている。
【００１９】
図５は、カバー３０が開放位置にあるときの捕虫器１の正面図である。図５に示すように、本体１０は、その正面側が略全域にわたって開口しており、その内側に縦長の空間１１が形成されている。空間１１の略中央には、直管形の蛍光灯（発光部）５０を差し込むためのソケット４０が設けられる。蛍光灯５０は、虫を誘引する誘引光として紫外線を照射する。
【００２０】
ソケット４０は、蛍光灯５０の長手方向を上下方向に向けた状態で該蛍光灯５０の両端を把持する。ソケット４０は、長手方向に細長に形成されるとともに、背面視において蛍光灯５０がソケット４０により隠れるようになっている。
【００２１】
本実施形態のソケット４０は、いわゆるグロー式のものである。ソケット４０の一側の側面の上部には、グローランプ部４１が配置される。
【００２２】
図２及び図３に示すように、本体１０には、側面から背面にかけて複数の貫通孔１２が形成される。図５に示すように、本体１０の内部のソケット４０の両側で上下方向に並列配置されている。複数の貫通孔１２は、いずれも細長に形成されており、ソケット４０の両側のそれぞれで、その長手方向が上下方向を向いた状態で略直線状に並んでいる。
【００２３】
複数の貫通孔１２の一つである貫通孔１２１は、ソケット４０に設けられるグローランプ部４１の位置に対応している。貫通孔１２１は、角が丸められた細長の略矩形状に形成されており、該貫通孔１２１を通じて本体１０からソケット４０を取り外すことなくグローランプ部４１の交換作業を行うことができるようになっている。
【００２４】
また、本体１０の一側の側面には、カバー３０を本体１０に対して回転可能に取り付けるための複数のヒンジ３１が配置される。本実施形態では、本体１０の一側の長辺部分の上部に１箇所設けられるとともに下部に１箇所設けられている。
【００２５】
また、本体１０の他側の側面には、カバー３０を本体１０の正面側を覆う閉鎖位置で固固定するためのカバー固定用ネジ受け１３が複数配置される。本実形態のカバー固定用ネジ受け１３は、上部に１箇所設けられるとともに下部に１箇所設けられている。
【００２６】
また、本体１０の背面側には、捕虫器１を持ち運ぶ際に使用される取っ手１８が設けられる。取っ手１８は、側面視において、略半裁円筒状に形成されており、その端部が丸められている。
【００２７】
本実施形態の本体１０は、非透光性の材料である金属材料により、その外形が形成されている。更に、本体１０には、光沢が出る塗料が塗布されている。つや出し加工されることにより、後述する蛍光灯５０の誘引光を効率よく反射できるようになっている。
【００２８】
次に、スタンド２０について説明する。本実施形態のスタンド２０は、スタンド底部２１と、第１支持部２２と、第２支持部２３と、から構成される。このスタンド２０により、本体１０は、その長手方向が上下方向に向くように支持される。
【００２９】
本実施形態のスタンド２０の各構成について説明する。スタンド底部２１は、正面側の端部の幅が背面側の端部の幅よりも広くなるように形成される。
【００３０】
第１支持部２２は、スタンド底部２１の上面における背面側に柱状に立設される。第１支持部２２の上部における正面側が本体１０の下部における背面側に固定される。
【００３１】
図３に示すように、第１支持部２２の背面側には、その長手方向に沿って電源コードカバー２４が設けられる。電源コードカバー２４の内部は、本体１０の空間１１に連通している。ソケット４０に電力を供給する電源コード７０は、その一側の端部が本体１０の内部でソケット４０にコネクタ７２を介して接続されるとともに、電源コードカバー２４の下端開口部１９１を通じて他側の端部が外部に露出している。外部の電源（図示省略）に電源コード７０が接続されることで、ソケット４０に電力が供給され、蛍光灯５０が点灯する。なお、下端開口部１９１の端部にキャップ部材を取り付けることもできる。
【００３２】
第２支持部２３は、スタンド底部２１の上面における正面側と第１支持部２２の上部を接続する板状部材であり、本体１０の姿勢を維持する補強部材として機能する。第２支持部２３は、側面視において湾曲している。
【００３３】
本実施形態のスタンド２０には、光沢が出る塗料が塗布されている。つや出し加工されることにより、後述する蛍光灯５０の誘引光をスタンド２０側でも効率よく反射できるようになっている。
【００３４】
次に、カバー３０について説明する。カバー３０は、非透光性の材料により、細長の板状に形成されている。図４に示すように、本実施形態のカバー３０は、曲面を有する略半裁円筒状に形成されており、その端面が長手方向で見たときに円弧状に湾曲している。
【００３５】
図６は、カバー３０が開放位置にあるときの捕虫器１の平面図である。図６に示すように、カバー３０は、一側の端部がヒンジ３１を介して本体１０に回転可能に取り付けられている。カバー３０は、本体１０の正面側を覆う閉鎖位置（図４に示す状態）と、本体１０の正面側を外部に露出させる開放位置（図６に示す状態）と、の間を回転可能になっている。
【００３６】
カバー３０の他側の端部には、ネジ７１を挿入するためのネジ孔（図示省略）がカバー固定用ネジ受け１３の位置に応じて形成される。カバー３０を閉鎖位置に回動させた状態で該カバー３０のネジ孔を通じてネジ７１をカバー固定用ネジ受け１３に螺合することでカバー３０が本体１０に対して固定される（図１〜図４に示す状態）。
【００３７】
図１及び図２に示すように、カバー３０の左右両側の端部（長辺部分）には、切欠き部３６が形成される。切欠き部３６は、側面視において、上側傾斜部３６１と、直線部３６２と、下側傾斜部３６３と、からなる。上側傾斜部３６１は、上側から中央側に近づくにつれて正面側に近づくように傾斜する。直線部３６２は、上側の端部が上側傾斜部３６１の下端部に接続されるとともに、下側の端部が下側傾斜部３６３に接続されており、上下方向に平行な直線状に形成される。下側傾斜部３６３は、下側から中央側に近づくにつれて正面側に近づくように傾斜する。
【００３８】
カバー３０の裏側には、捕虫シート９０を取り付けるための構造として１対のガイドレール３７が設けられる。ガイドレール３７は、捕虫シート９０をカバー３０の裏側で保持するためのものである。
【００３９】
本実施形態のカバー３０は、非透光性の材料である金属材料により、その外形が形成されている。更に、カバー３０には、光沢が出る塗料が塗布されている。このように、つや出し加工されることにより、後述する蛍光灯５０の誘引光を効率よく反射できるようになっている。
【００４０】
１対のガイドレール３７は、捕虫シート９０の幅に応じて間隔をあけてカバー３０の裏側に固定される。それぞれのガイドレール３７は、上端部及び内側が開放されるとともに、下端部及び外側が閉鎖されている。捕虫シート９０は、１対のガイドレール３７のそれぞれの内側に差し込まれることで、カバー３０の裏側に保持される。
【００４１】
図５に示すように、捕虫シート９０は、長方形状に形成される。図４に示すように、カバー３０の裏側でガイドレール３７に保持されている状態では、カバー３０の裏側の形状に沿って湾曲している。
【００４２】
図７は、捕虫シート９０を交換する様子を示す捕虫器１のカバー３０裏側の拡大正面図である。図７に示すように、捕虫シート９０は、粘着性がある粘着領域９６が形成されるとともに、非粘着領域９７が粘着領域９６の外側に形成されている。なお、図７では、一点鎖線で囲まれた領域が粘着領域９６となっている。
【００４３】
捕虫シート９０の長手方向の長さは、蛍光灯５０の発光する面の長さに対応している。そして、本実施形態の捕虫シート９０は、その粘着領域９６及び非粘着領域の全域にわたって蛍光色が塗布されている。蛍光色の色として、黄色や緑色等、適宜の色を選択すること後述の誘引口６０から漏れる光の色を設定することができる。
【００４４】
粘着領域９６は、捕虫シート９０の中央に長方形状に形成される。粘着領域９６の粘着力によって飛翔虫等が捕虫シート９０に捕捉される。非粘着領域９７は、粘着領域９６を囲う幅を有する矩形の枠状になっている。なお、本実施形態では、捕虫シート９０における蛍光灯５０に対向する面の略全域が粘着領域９６となっており、非粘着領域９７は、粘着領域９６の額縁状になっている。
【００４５】
また、図４に示すように、非粘着領域９７の左右方向の幅Ｗは、ガイドレール３７のガイド部分３８の長さＧよりも広くなっている。従って、古くなった捕虫シート９０を取り出すときに、捕虫シート９０がガイドレール３７に接触する部分は非粘着領域９７となる。
【００４６】
捕虫シート９０の交換作業は、作業者が非粘着領域９７をつまむことで容易に行うことができる。捕虫シート９０の交換作業の一例を説明する。作業者は、まず、ネジ７１をカバー固定用ネジ受け１３から外してカバー３０を図５及び図６に示す開放位置にする。次に、図７に示すように、古くなった捕虫シート９０の非粘着領域９７の部分を掴んで上方に引き出す。古い捕虫シート９０がカバー３０から取り外された後に、新しい捕虫シート９０をガイドレール３７の上方からスライド挿入する。ガイドレール３７の下部は閉鎖されているので、捕虫シート９０を最後まで押し込むことにより、捕虫シート９０が適切な位置となる。そして、捕虫シート９０を覆うフィルム部材（図示省略）を取り外す。捕虫シート９０は、非粘着領域９７の部分がガイドレール３７に挟まれているので、このフィルム部材の取り外しも容易に行うことができる。なお、フォルム部材がなく最初から粘着領域９６が露出した状態になっている捕虫シート９０を用いてもよい。
【００４７】
ここで、捕虫シート９０の粘着領域９６と本体１０の位置関係について説明する。図４に示すように、粘着領域９６の左右方向の端部を結ぶ仮想直線の長さをｂとし、本体１０の正面側の左右方向の長さをａとすると、ａ＞ｂの関係が成立している。即ち、粘着領域９６は、平面視において円弧状に湾曲しており、この円弧に対応する弦の長さｂが本体１０の幅方向の長さａ（厚み）に収まるようになっている。これにより、捕虫シート９０における粘着領域９６の略全域が、背面視において本体１０の死角に位置することになり、粘着領域９６の粘着力により捕捉された虫がより視認し難くなっている。
【００４８】
次に、虫が侵入する入口となる誘引口６０について説明する。本実施形態の誘引口６０は、本体１０の側面とカバー３０の端部の間に形成される。図４に示すように、閉鎖位置のカバー３０は、その裏側における両側の端部が、本体１０の側面の一部に対向している。この本体１０の側面とカバー３０の間の隙間が誘引口６０となる。誘引口６０は、本体１０の長手方向の略全域に沿って形成されており、本体１０の背面側に開口している。誘引口６０の上部及び下部は、開放されている。
【００４９】
ソケット４０に電力が供給されると、蛍光灯５０が点灯して誘引光が照射される。蛍光灯５０から照射された誘引光は、捕虫シート９０及びカバー３０の裏側で反射されて本体１０の背面側に位置する誘引口６０から外部に漏れ出す。
【００５０】
ソケット４０に収容される蛍光灯５０は、背面視において、外側からは死角に位置している。従って、誘引口６０から外部に漏れ出る光は、捕虫シート９０及びカバー３０の裏側の反射光であり、間接的な光となる。
【００５１】
本実施形態では、捕虫シート９０と蛍光灯５０の間の空間についても上部及び下部が開放されており、誘引口６０以外からも虫を捕虫シート９０に導入できるようになっている。このように、本体１０とカバー３０は、その上部及び下部との間に隙間が形成されることにより、カバー３０の正面側を除いて虫を様々な方向から誘引することが可能になっている。なお、蛍光灯５０の上下の端部はそれぞれソケット４０に差し込まれているので、本体１０とカバー３０の上部及び下部の隙間から直接的に光が漏れ出さないようになっている。
【００５２】
本体１０の正面側がカバー３０によって覆われる一方、本体１０の側面から背面にかけては複数の貫通孔１２が形成されているので、蛍光灯５０の誘引光を正面側には漏らさずに、背面側に効率的に光を反射させることができる。図２の破線の矢印に示すように、壁１００を背にして捕虫器１を配置することで、背面側に漏出した光を壁１００で乱反射させて拡散し、虫を広範囲に誘引することが可能になっている。
【００５３】
また、側面視において、カバー３０における切欠き部３６が形成される部分と本体１０の間から蛍光灯５０の一部が外部から視認できるようになっている。そして、蛍光灯５０は、本体１０の内部に配置されており、切欠き部３６まで間隔が空いている。これにより、切欠き部３６から漏れ出る光に誘引された虫は、誘引口６０から本体１０とカバー３０の間の空間に誘い込まれ、やがて捕虫シート９０で捕捉される。本体１０とカバー３０によって閉鎖された空間で飛び回る虫は外部からも視認し難い。また、閉鎖された空間であるので、捕虫器１の内部に一度誘い込まれた虫は外部に脱出することなく捕虫シート９０に接触し、高確率で捕獲される。
【００５４】
そして、切欠き部３６は、カバー３０の端部全域ではなく、長手方向の中央部分に形成されている。これにより、誘引口６０における本体１０の長手方向の中央から虫が入り易くなる。従って、本体１０の正面側とカバー３０の裏側の間の空間に入った虫が上方又は下方から逃げる事態を効果的に防止でき、捕虫確率を一層向上させることができる。
【００５５】
誘引口６０、本体１０とカバー３０の上部及び下部、壁１００の反射光等により捕虫器１の近くに誘引された虫は、その走光性により、蛍光灯５０の光が直接的に照射される捕虫シート９０に導かれる。本体１０の上下方向に形成される誘引口６０から侵入した虫は、誘引口６０の近くで留まることなく、捕虫シート９０の方に導かれる。更に、誘引口６０から捕虫器１の内部に侵入してきた虫は、迂回して蛍光灯５０に向かうよりも、侵入方向の先にある捕虫シート９０に向かいやすくなっており、捕虫シート９０で虫を効率的に捕捉することが可能になっている。
【００５６】
更に、捕虫器１から漏れ出る光は、捕虫シート９０の蛍光色に応じた色となり、間接照明として周囲を照らすこともできる（図２の破線の矢印参照）。このように、本実施形態の捕虫器１によれば、蛍光色の捕虫シート９０を違う色や違う材料に差し替えて間接照明の色を調節することも可能である。
【００５７】
以上説明した本実施形態の捕虫器１によれば、以下のような効果を奏する。本実施形態の捕虫器１は、細長に形成される本体１０と、本体１０の正面側に配置され、光を照射する蛍光灯５０と、蛍光灯５０よりも正面側に配置され、本体１０の正面側及び側面の少なくとも一部を覆うカバー３０と、カバー３０の裏側で蛍光灯５０に対向配置され、虫を捕捉する捕虫シート９０と、本体１０の側面とカバー３０の端部の間に形成される誘引口６０と、を備える。そして、蛍光灯５０により照射された光が捕虫シート９０及びカバー３０の裏側で反射され、誘引口６０から虫を誘引する誘引光として外部に漏出する。
【００５８】
これにより、漏出する光により捕虫器１の近くまで誘引された虫は、蛍光灯５０の光が直接的に照射される捕虫シート９０の方へ誘引され、捕虫シート９０で捕捉される。また、蛍光灯５０は、本体１０の正面側に配置されており、誘引口６０から入るときには死角に位置している。従って、誘引口６０から侵入した虫の多くを蛍光灯５０に迂回させることなく捕虫シート９０まで導くことができる。また、捕虫器１の内部は、蛍光灯５０から照射された光が反射を繰り返す空間になっているので、誘引口６０から入った虫は外部に脱出することなくやがて捕虫シート９０に捕捉される。本実施形態の捕虫器１は、捕虫シート９０に虫を効率的に捕捉することができる。更に、捕虫シート９０は、本体１０の蛍光灯５０の正面側に対向配置されており、正面側から捕虫シート９０が見えない状態になっている。また、側面及び背面からも、捕虫シート９０の略全域が本体１０及びカバー３０の死角に入る。従って、捕虫器１の正面側だけでなく、略全方位にわたって捕虫シート９０が外部から見えなくなっており、捕捉された虫が美観を損なう事態を効果的に防止している。加えて、本実施形態では、捕虫シート９０の色として蛍光色を採用しているので、誘引効果もより高くなっている。
【００５９】
このように、本実施形態の捕虫器１は、蛍光灯５０の光によって誘引された虫を捕虫シート９０に効率的に捕捉できるとともに、捕虫シート９０に捕捉された虫が外部から見えにくくなる捕虫器の構造を実現している。
【００６０】
本実施形態の捕虫器１が備えるカバー３０は、本体１０の長手方向で見たときに、円弧状に湾曲する板状部材によって形成される。
【００６１】
これにより、蛍光灯５０から照射された光を均一に誘引口６０まで反射させることができ、漏出する光の色ムラを防止できる。また、カバー３０の形状に応じて捕虫シート９０を平面視において円弧状に湾曲させることで、虫を捕捉する粘着領域９６を大きく確保することができる。
【００６２】
本実施形態の捕虫器１が備える捕虫シート９０は、カバー３０に取り付けられて湾曲した状態で、虫を捕捉する粘着領域９６が本体１０の正面側の幅方向の厚み（長さａ）よりも内側に収まるように形成される。
【００６３】
これにより、本体１０の側面とカバー３０の間に形成される誘引口６０からも捕虫シート９０が略見えなくなり、捕虫シート９０に捕捉された虫をより外部から視認できにくくすることができる。
【００６４】
捕虫シート９０の粘着領域９６は、虫を捕捉する部分であり、捕捉された虫は捕虫シート９０が交換されるまで粘着領域９６に残ったままとなる。本実施形態の捕虫器１は、粘着領域９６を湾曲させることで虫を捕捉できる十分な面積を確保しつつ、湾曲した粘着領域９６を本体１０の正面側の幅方向の厚みに収めることで、本体１０の正面側だけではなく、誘引口６０、本体１０の側面及び背面からも見え難くなっている。
【００６５】
本実施形態の捕虫器１は、カバー３０の裏側に配置され、捕虫シート９０をカバー３０の長手方向の一側から挿入可能な１対のガイドレール３７を更に備える。捕虫シート９０は、虫を捕捉する粘着領域９６及び該粘着領域９６の外側に形成される非粘着領域９７を有する。非粘着領域９７の幅は、ガイドレール３７のガイド部分３８よりも広くなっている。
【００６６】
これにより、捕虫シート９０をガイドレール３７に差し込むときに粘着領域９６の粘着力により、捕虫シート９０がうまく差し込めなかったり、粘着力によって捕虫シート９０とガイドレール３７が接合して上方に引き出せなかったりする事態を確実に防止できる。
【００６７】
捕虫器１は、本体１０の内側に形成される空間の中央に配置され、直管式の蛍光灯５０を正面側に収容可能なソケット４０を更に備える。本体１０におけるソケット４０の両側には、該本体１０の側面から背面にかけて複数の貫通孔１２が形成される。
【００６８】
これにより、背面側からはソケット４０の死角に位置する蛍光灯５０からの光を捕虫シート９０及びカバー３０の裏側で反射させ、誘引口６０及び複数の貫通孔１２を通じて背面側に多量の誘引光を漏出させることができる。壁１００に背を向けて捕虫器１を置くことにより、捕虫器１の背面側から漏出した光を壁１００の反射を使用して拡散でき、虫をより一層効率的に誘引することができる（図２参照）。壁１００の反射光に誘引された虫は、誘引口６０を通じて捕虫器１の周囲よりも光量が大きい捕虫シート９０側に誘引され、捕捉される。また、捕虫シート９０の色を変更することにより、インテリア空間に応じた間接照明としても機能する。
【００６９】
以上、本発明の捕虫器の好ましい一実施形態について説明したが、本発明は、上述の実施形態に制限されるものではなく、適宜変更が可能である。
【００７０】
上記実施形態では、発光部は蛍光管によって構成されているがこの構成に限定されるわけではない。例えば、虫を誘引する成分を含む誘引光を照射可能なＬＥＤ光源を本体の長手方向に複数配置したものを発光部とすることができる。
【００７１】
上記実施形態では、蛍光色の捕虫シート９０が適用されているが、この構成に限定されない。例えば、鏡面加工を行った粘着シートを捕虫シートとして用いることができる。この構成によっても、発光部としての蛍光灯５０からの光を反射させることができるとともに、その反射面に虫を効率的に捕捉することができる。
【００７２】
上記実施形態では、電源コード７０を介してソケット４０に電力を供給する構成であるが、捕虫器１が電池式又は充電式の電源ユニットを備え、当該電源ユニットによりソケット４０に電力を供給する構成とすることもできる。
【００７３】
上記実施形態では、スタンド２０によって本体１０が縦型に支持される構成の捕虫器を例として説明したが、本体を支持する構成は適宜変更することができる。例えば、本体１０の長手方向が水平方向を向いた状態でスタンドに支持される構成とすることもできる。また、スタンドを省略し、本体を壁に設置する壁掛け式の捕虫器にも本発明を適用することができる。
【符号の説明】
【００７４】
１  捕虫器
１０  本体
１１  空間
１２  貫通孔
３０  カバー
３７  ガイドレール
３８  ガイド部分
４０  ソケット
５０  蛍光灯（発光部）
６０  誘引口
９０  捕虫シート
９６  粘着領域
９７  非粘着領域
【図１】
0006685101.tif 000002
【図２】
0006685101.tif 000003
【図３】
0006685101.tif 000004
【図４】
0006685101.tif 000005
【図５】
0006685101.tif 000006
【図６】
0006685101.tif 000007
【図７】
0006685101.tif 000008